(57)【要約】  本開示の一実施形態に係る描画システムは、記憶部と、演算部と、描画部とを備えている。記憶部は、描画座標と、吸光度相関値と、ロイコ色空間における階調値とに基づいて、光源の出力設定値を導出する特性関数を記憶する。演算部は、描画座標と、ロイコ色空間で記述されたロイコ画像データの階調値と、記録媒体を測定することにより得られる吸光度相関値とを、特性関数に入力することにより出力設定値を導出する。描画部は、光源を有しており、演算部により導出される出力設定値に基づいて光源の出力を制御することにより、録媒体への描画を実行する。
2020075451.tif 000002
【特許請求の範囲】
【請求項１】
各々が互いに異なるロイコ色素および互いに異なる光熱変換剤を含んで構成された複数の記録層を備えた記録媒体の描画座標と、前記記録媒体の吸光度と相関のある吸光度相関値と、ロイコ色空間における階調値とに基づいて、光源の出力設定値を導出する特性関数を記憶する記憶部と、
前記記録媒体の描画座標と、ロイコ色空間で記述されたロイコ画像データの階調値と、前記記録媒体を測定することにより得られる吸光度相関値とを、前記特性関数に入力することにより前記出力設定値を導出する演算部と、
前記光源を有し、前記演算部により導出される前記出力設定値に基づいて前記光源の出力を制御することにより、前記記録媒体への描画を実行する描画部と
を備えた
描画システム。
【請求項２】
前記特定関数において、前記吸光度相関値、前記階調値および前記出力設定値は、描画座標ごとに規定されている
請求項１に記載の描画システム。
【請求項３】
前記吸光度相関値は、Ｌ*，ａ*，ｂ*色空間におけるＬ*値である
請求項１に記載の描画システム。
【請求項４】
前記光源は、前記演算部により導出される前記出力設定値に応じたパワーのレーザ光を前記記録媒体に出力することにより、前記記録媒体への描画を実行する
請求項１に記載の描画システム。
【請求項５】
前記吸光度相関値は、未発色の前記記録媒体を測定することにより得られる
請求項１に記載の描画システム。
【請求項６】
前記記憶部は、デバイス依存色空間とデバイス非依存色空間との関係を記述するとともに、前記デバイス非依存色空間と前記ロイコ色空間との関係を記述した変換プロファイルを更に記憶し、
前記演算部は、外部から入力された前記デバイス依存色空間の画像データを、前記変換プロファイルを用いて前記ロイコ色空間の画像データに変換し、
前記描画部は、前記変換プロファイルを用いて導出される前記ロイコ色空間の画像データに基づいて導出される前記出力設定値に基づいて前記光源の出力を制御することにより、前記記録媒体への描画を実行する
請求項１に記載の描画システム。
【請求項７】
前記描画部は、外部ネットワークを介して入力された前記ロイコ色空間の画像データに基づいて導出される前記出力設定値に基づいて前記光源の出力を制御することにより、前記記録媒体への描画を実行する
請求項１に記載の描画システム。
【請求項８】
各々が互いに異なるロイコ色素および互いに異なる光熱変換剤を含んで構成された３つの記録層を備えた複数の第１記録媒体、３つの前記記録層のうちの１つである第１記録層を備えた複数の第２記録媒体、３つの前記記録層のうち前記第１記録層とは異なる第２記録層を備えた複数の第３記録媒体、および３つの前記記録層のうち前記第１記録層および前記第２記録層とは異なる第３記録層を備えた複数の第４記録媒体のそれぞれの、未発色の表面を測定することにより得られる、吸光度と相関のある吸光度相関値を学習データとして機械学習をすることにより、前記第１記録媒体の、未発色の表面の吸光度相関値から、前記第１記録媒体に含まれる各前記記録層の吸光度相関値を導出する第１特性関数を生成する第１学習ステップと、
前記第１記録媒体と共通の層構成となっている複数の第５記録媒体の描画座標と、前記第５記録媒体の未発色の表面を測定することにより得られる吸光度相関値を前記第１特性関数に入力することにより得られる、各前記第５記録媒体に含まれる各前記記録層の吸光度相関値と、複数の前記第５記録媒体に含まれる前記３つの記録層を順次、様々な階調で発色させたときに各前記第５記録媒体の表面を測定することにより得られる、各前記第５記録媒体の３つの吸光度相関値に対応する、ロイコ色空間における階調値と、複数の前記第５記録媒体に含まれる前記３つの記録層を順次、様々な階調で発色させたときの、各前記記録層を発色させるための光源の出力設定値とを学習データとして機械学習をすることにより、前記第５記録媒体の描画座標と、前記第５記録媒体に含まれる各記録層の吸光度相関値と、ロイコ色空間における階調値とから、前記光源の出力設定値を導出する第２特性関数を生成する第２学習ステップと
を含む
特性関数の生成方法。
【請求項９】
前記第１特定関数および前記第２特定関数において、前記吸光度相関値、前記階調値および前記出力設定値は、描画座標ごとに規定されている
請求項８に記載の特性関数の生成方法。
【請求項１０】
前記第２学習ステップにおいて、各前記第５記録媒体の３つの吸光度相関値の計測値と、ロイコ色空間おける階調値との対応関係を記述した変換テーブルを生成し、生成した前記変換テーブルを用いて、各前記第５記録媒体の３つの吸光度相関値の計測値から、ロイコ色空間における階調値を導出する
請求項８に記載の特性関数の生成方法。
【請求項１１】
前記吸光度相関値は、Ｌ*，ａ*，ｂ*色空間におけるＬ*値である
請求項８に記載の特性関数の生成方法。
【請求項１２】
前記第２学習ステップにおいて、前記光源から、前記出力設定値に応じたパワーのレーザ光を前記第５記録媒体に出力させることにより、各前記第５記録媒体を様々な階調で発色させる
請求項８に記載の特性関数の生成方法。
【発明の詳細な説明】
【技術分野】
【０００１】
本開示は、描画システム、および、特性関数の生成方法に関する。
【背景技術】
【０００２】
感熱発色性組成物の一種であるロイコ色素を用いた感熱方式の記録媒体が普及している（例えば、特許文献１参照）。現在、そのような記録媒体には、一度書き込んだら消去のできない不可逆性の記録媒体と、何度でも書き換え可能な可逆性の記録媒体が実用化されている。
【先行技術文献】
【特許文献】
【０００３】
【特許文献１】特開２００４−７４５８４号公報
【発明の概要】
【０００４】
ところで、ロイコ色素を用いた感熱方式の記録媒体への描画では、記録媒体中の発光層に含まれる光熱変換剤の量（つまり発光層の吸光度）と、発光層に照射する光のパワーとによって発色の程度が決まる。しかし、発光層の吸光度には場所によるムラがあり、光のパワーには走査速度ムラや光プロファイルの時間的な変動がある。そのため、狙いの色を忠実に発色させることが難しいという問題があった。従って、ロイコ色素を用いた感熱方式の記録媒体で、狙いの色を忠実に発色させることの可能な描画システム、および、特性関数の生成方法を提供することが望ましい。
【０００５】
本開示の一実施形態に係る描画システムは、記憶部と、演算部と、描画部とを備えている。記憶部は、記録媒体の吸光度と相関のある吸光度相関値と、ロイコ色空間における階調値とに基づいて、光源の出力設定値を導出する特性関数を記憶する。ここで、記録媒体は、各々が互いに異なるロイコ色素および互いに異なる光熱変換剤を含んで構成された複数の記録層を備えている。演算部は、記録媒体の描画座標と、ロイコ色空間で記述されたロイコ画像データの階調値と、記録媒体を測定することにより得られる吸光度相関値とを、特性関数に入力することにより出力設定値を導出する。描画部は、光源を有しており、演算部により導出される出力設定値に基づいて光源の出力を制御することにより、記録媒体への描画を実行する。
【０００６】
本開示の一実施形態に係る描画システムでは、描画に用いる光源の出力設定値が、特性関数によって導出される。ここで、特性関数では、記録媒体の吸光度と相関のある吸光度相関値が変数となっている。そのため、描画対象である記録媒体の吸光度ムラが考慮される。また、描画に用いる光源の走査速度ムラや光プロファイルの時間的な変動については、描画座標での管理が可能である。そのため、特性関数において、吸光度相関値、ロイコ色空間における階調値および光源の出力設定値を描画座標ごとに規定された変数とすることにより、特性関数において、描画に用いる光源の走査速度ムラや光プロファイルの時間的な変動を考慮することが可能である。従って、描画に用いる光源の出力設定値の導出に、特性関数を用いることで、狙いの色を忠実に発色させるための制御をすることが可能である。
【０００７】
本開示の一実施形態に係る特性関数の生成方法は、以下の２つのステップを含む。
（Ａ）複数の第１記録媒体、複数の第２記録媒体、複数の第３記録媒体および複数の第４記録媒体のそれぞれの、未発色の表面を測定することにより得られる、吸光度と相関のある吸光度相関値を学習データとして機械学習をすることにより、第１記録媒体の、未発色の表面の吸光度相関値から、第１記録媒体に含まれる各記録層の吸光度相関値を導出する第１特性関数を生成する第１学習ステップ
上記第１学習ステップにおいて、各第１記録媒体は、各々が互いに異なるロイコ色素および互いに異なる光熱変換剤を含んで構成された３つの記録層を備えている。各第２記録媒体は、３つの記録層のうちの１つである第１記録層を備えている。各第３記録媒体は、３つの記録層のうち第１記録層とは異なる第２記録層を備えている。各第４記録媒体は、３つの記録層のうち第１記録層および第２記録層とは異なる第３記録層を備えている。
（Ｂ）第５記録媒体の描画座標と、各第５記録媒体に含まれる各記録層の吸光度相関値と、各第５記録媒体の３つの吸光度相関値に対応する、ロイコ色空間における階調値と、複数の第５記録媒体に含まれる３つの記録層を順次、様々な階調で発色させたときの、各記録層を発色させるための光源の出力設定値とを学習データとして機械学習をすることにより、第５記録媒体の描画座標と、第５記録媒体に含まれる各記録層の吸光度相関値と、ロイコ色空間における階調値とから、光源の出力設定値を導出する第２特性関数を生成する第２学習ステップ
上記第２学習ステップにおいて、「各第５記録媒体に含まれる各記録層の吸光度相関値」は、第１記録媒体と共通の層構成となっている複数の第５記録媒体の、未発色の表面を測定することにより得られる吸光度相関値を第１特性関数に入力することにより得られる。また、上記第２学習ステップにおいて、「各第５記録媒体の３つの吸光度相関値に対応する、ロイコ色空間における階調値」は、複数の第５記録媒体に含まれる３つの記録層を順次、様々な階調で発色させたときに各第５記録媒体の表面を測定することにより得られる。
【０００８】
本開示の一実施形態に係る特性関数の生成方法では、記録層のわずかな吸光度相関値の違いを利用した機械学習により第１特性関数および第２特性関数が生成される。ここで、第１特性関数および第２特性関数では、記録媒体の吸光度と相関のある吸光度相関値が変数となっている。そのため、描画対象である記録媒体の吸光度ムラが考慮される。また、描画に用いる光源の走査速度ムラや光プロファイルの時間的な変動については、描画座標での管理が可能である。そのため、第１特性関数および第２特性関数において、吸光度相関値、ロイコ色空間における階調値および光源の出力設定値を描画座標ごとに規定された変数とすることにより、第１特性関数および第２特性関数において、描画に用いる光源の走査速度ムラや光プロファイルの時間的な変動を考慮することが可能である。従って、描画に用いる光源の出力設定値の導出に、第１特性関数および第２特性関数を用いることで、狙いの色を忠実に発色させるための制御をすることが可能である。
【図面の簡単な説明】
【０００９】
【図１】本開示の第１の実施の形態に係る描画システムの概略構成例を表す図である。
【図２】記録媒体の断面構成例を表す図である。
【図３】情報処理部の機能ブロックの一例を表す図である。
【図４】描画部の概略構成例を表す図である。
【図５】描画システムにおける特定関数の生成手順の一例を表す図である。
【図６】積層記録媒体および単層記録媒体の一例を表す図である。
【図７】図６の積層記録媒体および単層記録媒体の表面の未発色時のＬ*値の測定値の一例を表す図である。
【図８】積層記録媒体の一例を表す図である。
【図９】図８の積層記録媒体の表面の未発色時のＬ*値の測定値の一例と、その測定値から導出された各記録層のＬ*値の一例とを表す図である。
【図１０】図８の積層記録媒体の表面の、様々な階調で発色させた時の様子の一例を表す図である。
【図１１】図１０の各積層記録媒体のＬ*値の測定値の一例を表す図である。
【図１２】変換テーブルの一例を概念で表す図である。
【図１３】特性関数の導出過程を概念で表す図である。
【図１４】本開示の第２の実施の形態に係る描画システムの概略構成例を表す図である。
【図１５】端末装置内の情報処理部の機能ブロックの一例を表す図である。
【図１６】描画装置内の情報処理部の機能ブロックの一例を表す図である。
【図１７】本開示の第３の実施の形態に係る描画システムの概略構成例を表す図である。
【発明を実施するための形態】
【００１０】
以下、本開示を実施するための形態について、図面を参照して詳細に説明する。以下の説明は本開示の一具体例であって、本開示は以下の態様に限定されるものではない。
【００１１】
＜１．第１の実施の形態＞
[構成]
本開示の第１の実施の形態に係る描画システム１について説明する。図１は、本実施の形態に係る描画システム１の概略構成例を表したものである。描画システム１は、後述の記録媒体１００に対して、情報の書き込み（描画）および消去を行う。具体的には、描画システム１は、外部から入力された、デバイス依存色空間で記述された画像データ（以下、「入力画像データ」と称する。）を、ロイコ色空間で記述された画像データ（以下、「ロイコ画像データ」と称する。）に変換する。ここで、デバイス依存色空間は、例えば、ｓＲＧＢやａｄｏｂｅ（登録商標）ＲＧＢなどのＲＧＢ色空間である。ロイコ色空間は、記録媒体１００が特性として持つ色空間である。描画システム１は、さらに、変換により得られたロイコ画像データを、後述の描画部６０の出力設定値に変換し、変換により得られた出力設定値を描画部６０に入力することにより、記録媒体１００への描画を行う。このように、描画システム１は、記録媒体１００に適したカラーマネージメントシステムを備えている。以下では、最初に、記録媒体１００について説明し、その後に、描画システム１について説明する。
【００１２】
（記録媒体１００）
図２は、記録媒体１００に含まれる各層の構成例を表したものである。記録媒体１００は、情報の書き込み（描画）および消去の可能な可逆性記録媒体である。記録媒体１００は、発色色調が互いに異なる複数の記録層１３３を備えている。記録媒体１００は、例えば、基材１１１上に記録層１１３と断熱層１１４とが交互に積層された構造となっている。
【００１３】
記録媒体１００は、例えば、基材１１１上に、下地層１１２と、３つの記録層１１３（１１３ａ，１１３ｂ，１１３ｃ）と、２つの断熱層１１４（１１４ａ，１１４ｂ）と、保護層１１５とを備えている。３つの記録層１３（１１３ａ，１１３ｂ，１１３ｃ）は、基材１１１側から、記録層１１３ａ、記録層１１３ｂ、記録層１１３ｃの順に配置されている。２つの断熱層１１４（１１４ａ，１１４ｂ）は、基材１１１側から、断熱層１１４ａ、断熱層１１４ｂの順に配置されている。下地層１１２は、基材１１１の表面に接して形成されている。保護層１１５は、記録媒体１００の最表面に形成されている。
【００１４】
基材１１１は、各記録層１１３および各断熱層１１４を支持する。基材１１１は、その表面に各層を形成するための基板として機能する。基材１１１は光を透過するものであってもよいし、光を透過しないものであってもよい。光を透過しない場合には、基材１１１の表面の色は、例えば白色であってもよいし、白色以外の色であってもよい。基材１１１は、例えば、ＡＢＳ樹脂により構成されている。下地層１１２は、記録層１１３ａと基材１１１との密着性を向上させる機能を有するものである。下地層１１２は、例えば、光を透過する材料によって構成されている。なお、下地層１１２もしくは基材１１１の上もしくは下に、耐湿性バリア層や耐光性バリア層が設けられていてもよい。また、下地層１１２と記録層１１３ａとの間に、断熱層１１４が設けられていてもよい。
【００１５】
３つの記録層１１３（１１３ａ，１１３ｂ，１１３ｃ）は、発色状態と消色状態との間で可逆的に状態を変化させることができるものである。３つの記録層１１３（１１３ａ，１１３ｂ，１１３ｃ）は、発色状態における色が互いに異なる色になるように構成されている。３つの記録層１１３（１１３ａ，１１３ｂ，１１３ｃ）は、それぞれ、ロイコ色素１００Ａ（可逆性感熱発色性組成物）と、書き込みの際に発熱させる光熱変換剤１００Ｂ（光熱変換剤）とを含んで構成されている。３つの記録層１３（１１３ａ，１１３ｂ，１１３ｃ）は、それぞれ、さらに、顕色剤およびポリマーを含んで構成されている。
【００１６】
ロイコ色素１００Ａは、熱により顕色剤と結合して発色状態になり、あるいは顕色剤と分離して消色状態になるものである。各記録層１１３（１１３ａ，１１３ｂ，１１３ｃ）に含まれるロイコ色素１００Ａの発色色調は、記録層１１３ごとに異なっている。記録層１１３ａに含まれるロイコ色素１００Ａは、熱により顕色剤と結合することによりマゼンタ色に発色する。記録層１１３ｂに含まれるロイコ色素１００Ａは、熱により顕色剤と結合することによりシアン色に発色する。記録層１１３ｃに含まれるロイコ色素１００Ａは、熱により顕色剤と結合することにより黄色に発色する。３つの記録層１１３（１１３ａ，１１３ｂ，１１３ｃ）の位置関係は、上記の例に限定されるものではない。また、３つの記録層１１３（１１３ａ，１１３ｂ，１１３ｃ）は、消色状態では透明になる。これにより、記録媒体１００は、広い色域の色を用いて、画像を記録することができるようになっている。
【００１７】
光熱変換剤１００Ｂは、近赤外域（７００ｎｍ〜２５００ｎｍ）の光を吸収して熱を発するものである。なお、本明細書では、近赤外域とは、７００ｎｍ〜２５００ｎｍの波長帯を指している。各記録層１１３（１１３ａ，１１３ｂ，１１３ｃ）に含まれる光熱変換剤１００Ｂの吸収波長は、近赤外域（７００ｎｍ〜２５００ｎｍ）において互いに異なっている。記録層１１３ｃに含まれる光熱変換剤１００Ｂは、例えば、７６０ｎｍに吸収ピークを有している。記録層１１３ｂに含まれる光熱変換剤１１０Ｂは、例えば、８６０ｎｍに吸収ピークを有している。記録層１１３ａに含まれる光熱変換剤１００Ｂは、例えば、９１５ｎｍに吸収ピークを有している。各記録層１１３（１１３ａ，１１３ｂ，１１３ｃ）に含まれる光熱変換剤１００Ｂの吸収ピークは、上記の例に限定されるものではない。
【００１８】
断熱層１１４ａは、記録層１１３ａと記録層１１３ｂとの間で互いに熱が伝わりにくくするためのものである。断熱層１１４ｂは、記録層１１３ｂと記録層１１３ｃとの間で互いに熱が伝わりにくくするためのものである。保護層１１５は、記録媒体１００の表面を保護するためのものであり、記録媒体１００のオーバーコート層として機能する。２つの断熱層１１４（１１４ａ，１１４ｂ）および保護層１１５は、透明な材料によって構成されている。記録媒体１００は、例えば、保護層１１５の直下に、比較的剛性の高い樹脂層（例えば、ＰＥＮ樹脂層）などを備えていてもよい。なお、保護層１１５には、耐湿バリア層もしくは耐光性バリア層が含まれていてもよい。また、保護層１１５には、何らからの機能層が含まれていてもよい。
【００１９】
（描画システム１）
次に、本実施の形態に係る描画システム１について説明する。
【００２０】
描画システム１は、通信部１０、入力部２０、表示部３０、記憶部４０、スキャナ部５０、描画部６０および情報処理部７０を備えている。記憶部４０は、本開示の「記憶部」の一具体例に相当する。描画部６０は、本開示の「描画部」の一具体例に相当する。情報処理部７０は、本開示の「演算部」の一具体例に相当する。描画システム１は、通信部１０を介してネットワークに接続されている。ネットワークは、例えば、ＬＡＮまたはＷＡＮなどの通信回線である。ネットワークには、端末装置が接続されている。描画システム１は、ネットワークを介して端末装置と通信することができるように構成されている。端末装置は、例えば携帯端末であり、ネットワークを介して描画システム１と通信することができるように構成されている。
【００２１】
通信部１０は、端末装置などの外部機器と通信を行う。通信部１０は、例えば、携帯端末などの外部機器から受信した入力画像データＩ1を情報処理部７０に送信する。入力画像データＩ1は、各描画座標の階調値がデバイス依存色空間で記述されたデータである。入力画像データＩ1において、各描画座標の階調値は、例えば、８ビットの赤階調値、８ビットの緑階調値および８ビットの青階調値によって構成されている。
【００２２】
入力部２０は、ユーザからの入力（例えば、実行指示、データ入力など）を受け付ける。入力部２０は、例えば、表示部３０に、変換プロファイル４６（後述）の作成インターフェースが表示されているときに、表示されているインターフェースからの入力要求に応じた入力を行う。入力部２０は、ユーザによって入力された情報を情報処理部７０へ送信する。表示部３０は、情報処理部７０によって作成された各種画面データに基づいて、画面表示を行う。表示部３０は、例えば、液晶パネル、または、有機ＥＬ（Electro Luminescence）パネルなどによって構成されている。
【００２３】
スキャナ部５０は、情報処理部７０からの測定指令に応じて測定を行う。スキャナ部５０は、例えば、記録媒体１００や、後述の記録媒体１０１，１０２，１０３，１０４，１０５の表面を測定することにより、これらの吸光度と相関のある値（以下、「吸光度相関値５０Ａ」と称する。）を取得する。ここで、吸光度相関値５０Ａは、スキャナ部５０によって記録媒体１００や、後述の記録媒体１０１，１０２，１０３，１０４，１０５の表面を測定することにより得られる。吸光度相関値５０Ａは、デバイス非依存色空間における値である。デバイス非依存色空間は、例えば、Ｌ*，ａ*，ｂ*色空間である。「デバイス非依存色空間における値」は、例えば、Ｌ*，ａ*，ｂ*色空間におけるＬ*値である。Ｌ*値は、吸光度と相関のある値である。スキャナ部５０は、記録媒体１００や、記録媒体１０１，１０２，１０３，１０４，１０５の表面を測定することにより得られた、描画座標ごとの吸光度相関値５０Ａ（具体的にはＬ*値）を、描画座標とともに情報処理部７０に送信する。
【００２４】
記憶部４０は、例えば、特性関数４１，４２、除外条件リスト４３、変換プロファイル４５，４６、処理プログラム４７および学習プログラム４８，４９を記憶している。記憶部４０には、例えば、後述の描画プロセスにおいて生成される電圧値ファイル４４が記憶される。さらに、記憶部４０には、例えば、後述の機械学習において生成される変換テーブル５１が記憶される。特性関数４１は、本開示の「第１特性関数」の一具体例に相当する。特性関数４２は、本開示の「第２特性関数」の一具体例に相当する。特性関数４１，４２は、本開示の「特性関数」の一具体例に相当する。学習プログラム４８は、本開示の「第１学習ステップ」で行われる機械学習の手順の一具体例を含むものに相当する。学習プログラム４９は、本開示の「第２学習ステップ」で行われる機械学習の手順の一具体例を含むものに相当する。
【００２５】
特性関数４１は、描画座標と、未発色の記録媒体１００における描画座標ごとの吸光度相関値５０Ａとから、未発色の記録媒体１００に含まれる各記録層１１３における描画座標ごとの吸光度相関値５０Ａを導出する。特性関数４２は、描画座標と、未発色の記録媒体１００に含まれる各記録層１１３における描画座標ごとの吸光度相関値５０Ａと、ロイコ色空間における描画座標ごとの階調値（具体的にはロイコ色空間で記述されたロイコ画像データＩ3の階調値）とに基づいて、描画部６０の出力設定値（具体的には指令電圧値（ＤM，ＤC，ＤY））を描画座標ごとに導出する。特性関数４１，４２における吸光度相関値５０Ａは、スキャナ部５０によって記録媒体１００の表面を測定することにより得られる。ロイコ画像データＩ3は、各描画座標の階調値が記録媒体１００の色空間で記述されたデータである。特性関数４１，４２において、吸光度相関値５０Ａ、ロイコ色空間における階調値、および出力設定値（具体的には指令電圧値（ＤM，ＤC，ＤY））は、いずれも、描画座標ごとに規定されている。特性関数４１，４２は、機械学習によって生成される。機械学習については、後に詳述する。
【００２６】
除外条件リスト４３は、描画部６０による記録媒体１００への描画において消去不具合または媒体変質不具合が生じ得る範囲内の指令電圧値（ＤMk，ＤCk，ＤYk）を記述したものである。ここで、消去不具合とは、記録媒体１００に描画された画像を、視認困難なレベルにまで消去することができなくなる不具合を指している。媒体変質不具合とは、記録媒体１００に照射したレーザ光が強すぎて、記録媒体１００にアブレーションが生じてしまうなどの不具合を指している。
【００２７】
電圧値ファイル４４は、特性関数４２によって生成される。電圧値ファイル４４は、ロイコ画像データＩ3の各描画座標の階調値（ＬMi，ＬCi，ＬYi）（ｉは描画座標のアドレス）に対応する指令電圧値（ＤMi，ＤCi，ＤYi）のリストである。つまり、電圧値ファイル４４は、複数の指令電圧値（ＤMi，ＤCi，ＤYi）によって構成されている。ここで、ロイコ画像データＩ3は、外部から入力される、デバイス依存色空間で記述された入力画像データＩ1に基づいて生成される。従って、電圧値ファイル４４は、外部から入力画像データＩ1が入力されたときに生成される。なお、電圧値ファイル４４において、電圧値ファイル４４に含まれる指令電圧値（ＤMi，ＤCi，ＤYi）のリストの中で除外条件リスト４３に合致する指令電圧値（ＤMi，ＤCi，ＤYi）が除外されていてもよい。
【００２８】
変換プロファイル４５，４６は、いわゆるＩＣＣ（International Color Consortium）プロファイルである。ＩＣＣプロファイルとは、カラーマネージメントにおいて、ＩＣＣの公表した標準に従い、色に関わる入出力機器や色空間を特徴付ける一連のデータである。
【００２９】
変換プロファイル４５は、カラーマネージメントにおける入力プロファイルである。変換プロファイル４５は、デバイス依存色空間とデバイス非依存色空間との関係を記述（マッピング）したものである。ここで、デバイス依存色空間は、例えば、ｓＲＧＢやａｄｏｂｅ（登録商標）ＲＧＢなどのＲＧＢ色空間である。デバイス非依存色空間は、例えば、Ｌ*，ａ*，ｂ*色空間である。変換プロファイル４６は、カラーマネージメントにおける出力プロファイルである。変換プロファイル４６は、デバイス非依存色空間とロイコ色空間との関係を記述（マッピング）したものである。変換プロファイル４６は、後述の生成プロセスにおいて生成される。
【００３０】
処理プログラム４７は、変換プロファイル４５，４６を用いて、デバイス依存色空間で記述された入力画像データＩ1を、デバイス非依存色空間で記述された中間画像データＩ2を経由して、ロイコ色空間で記述されたロイコ画像データＩ3に変換する手順を含む。処理プログラム４７によるロイコ画像データＩ3の生成プロセスは、後述の描画プロセスの一部を構成している。
【００３１】
学習プログラム４８は、特性関数４１を生成する手順を含む。特性関数４１を生成する手順については、後に詳述するものとする。学習プログラム４９は、特性関数４２を生成する手順を含む。特性関数４２を生成する手順については、後に詳述するものとする。
【００３２】
情報処理部７０は、例えば、ＣＰＵ（Central Processing Unit）およびＧＰＵ（Graphics Processing Unit）を含んで構成されており、記憶部４０に記憶されたプログラム（例えば、処理プログラム４７、学習プログラム４８または学習プログラム４９）を実行する。
【００３３】
変換テーブル５１は、ロイコ色空間おける階調値（ＬM，ＬC，ＬY）と、後述のグラデーション描画の際の描画座標ごとの吸光度相関値５０Ａ（具体的にはＬ*値）の測定値との対応関係を記述したものである。
【００３４】
情報処理部７０は、記録媒体１００に最適なカラーマネージメントシステムを、ＩＣＣプロファイルの一種である変換プロファイル４５，４６を適応させて構築したものである。カラーマネージメントシステムの機能としては、記録媒体１００の色空間把握と様々な色空間（例えば、ｓＲＧＢやａｄｏｂｅ（登録商標）ＲＧＢなどのＲＧＢ色空間）からの色空間圧縮（マッピング）が重要となる。これら機能は、ＩＣＣプロファイルの一種である変換プロファイル４５，４６により色に関わる入出力機器間で容易に管理することができる。ＩＣＣプロファイルの一種である変換プロファイル４５，４６により入出力機器間で各々の色域の元、色再現を前提とした色情報のやり取り（ガモットマッピング/色空間圧縮）が行われる。
【００３５】
情報処理部７０は、例えば、処理プログラム４７がロードされることにより、記憶部４０から読み出した変換プロファイル４５を用いて、受信した入力画像データＩ1を、中間画像データＩ2に変換する。中間画像データＩ2は、各描画座標の値がデバイス非依存色空間で記述されたデータである。デバイス非依存色空間は、例えば、Ｌ*，ａ*，ｂ*色空間である。中間画像データＩ2において、各描画座標の値は、変換プロファイル４５によって変換されることにより生成されたＬ*，ａ*，ｂ*値によって構成されている。
【００３６】
情報処理部７０は、さらに、例えば、処理プログラム４７がロードされることにより、記憶部４０から読み出した変換プロファイル４６を用いて、中間画像データＩ2を、ロイコ画像データＩ3に変換する。ロイコ画像データＩ3は、例えば、各描画座標の階調値がロイコ色空間で記述されたデータである。ロイコ色空間は、例えば、８ビットのマゼンタ階調、８ビットのシアン階調および８ビットのイエロー階調によって構成されている。情報処理部７０は、さらに、例えば、ロイコ画像データＩ3を描画部６０に送信する。
【００３７】
情報処理部７０は、例えば、学習プログラム４８がロードされることにより、所定の機械学習を行い、それにより特性関数４１を生成し、記憶部４０に記憶させる。情報処理部７０は、例えば、学習プログラム４９がロードされることにより、所定の機械学習を行い、それにより特性関数４２を生成し、記憶部４０に記憶させる。
【００３８】
図３は、情報処理部７０の機能ブロックの一例を表したものである。情報処理部７０は、例えば、色空間変換部７１と、指令電圧値算出部７２と、除外判定部７３とを有しており、これらによって描画プロセスを実行する。なお、必要に応じて除外判定部７３が省略されてもよい。
【００３９】
色空間変換部７１は、外部から通信部１０を介して入力画像データＩ1が入力されると、記憶部４０から読み出した変換プロファイル４５を用いて、入力画像データＩ1を中間画像データＩ2に変換する。入力画像データＩ1がａｄｏｂｅ（登録商標）ＲＧＢ色空間で記述されている場合には、色空間変換部７１は、変換プロファイル４５に記述された、ａｄｏｂｅ（登録商標）ＲＧＢ色空間からＬ*，ａ*，ｂ*色空間への変換プロファイルを用いて、入力画像データＩ1を、Ｌ*，ａ*，ｂ*色空間で記述された中間画像データＩ2に変
換する。
【００４０】
色空間変換部７１は、さらに、記憶部４０から読み出した変換プロファイル４６を用いて、中間画像データＩ2をロイコ画像データＩ3に変換する。中間画像データＩ2がＬ*，ａ*，ｂ*色空間で記述されている場合には、色空間変換部７１は、変換プロファイル４６に記述された、Ｌ*，ａ*，ｂ*色空間からロイコ色空間への変換プロファイルを用いて、中間画像データＩ2を、ロイコ色空間で記述されたロイコ画像データＩ3に変換する。色空間変換部７１は、ロイコ画像データＩ3を指令電圧値算出部７２に送信する。
【００４１】
指令電圧値算出部７２は、描画座標と、スキャナ部５０から入力された未発色の記録媒体１００における描画座標ごとの吸光度相関値５０Ａと、色空間変換部７１から入力されたロイコ画像データＩ3とに基づいて、指令電圧値（ＤM，ＤC，ＤY）を描画座標ごとに導出する。指令電圧値算出部７２は、導出した指令電圧値Ｄｖ（ＤMi，ＤCi，ＤYi）のリストを除外判定部７３に送信する。
【００４２】
除外判定部７３は、記憶部４０から読み出した除外条件リスト４３を用いて、指令電圧値Ｄｖ（ＤMi，ＤCi，ＤYi）のリストの中に、描画部６０による記録媒体１００への描画において消去不具合または媒体変質不具合が生じ得る範囲内の指令電圧値Ｄｖ（ＤMk，ＤCk，ＤYk）が含まれているか否かを判定する。その結果、指令電圧値算出部７２は、含まれているとの判定をした場合には、該当する指令電圧値Ｄｖ（ＤM，ＤC，ＤY）を、消去不具合または媒体変質不具合が生じ得る範囲外の指令電圧値Ｄｖ（ＤM，ＤC，ＤY）に置き換え、それにより得られた指令電圧値Ｄｖ（ＤMi，ＤCi，ＤYi）のリストを、電圧値ファイル４４として記憶部４０に記憶させる。除外判定部７３は、さらに、電圧値ファイル４４（指令電圧値（ＤMi，ＤCi，ＤYi）のリスト）を描画部６０に送信する。
【００４３】
次に、描画部６０について説明する。図４は、描画部６０の概略構成例を表したものである。描画部６０は、例えば、信号処理回路６１、レーザ駆動回路６２、光源部６３、調整機構６４、スキャナ駆動回路６５、およびスキャナ部６６を有している。描画部６０は、情報処理部７０から入力される電圧値ファイル４４（指令電圧値（ＤMi，ＤCi，ＤYi）のリスト）に基づいて、光源部６３の出力を制御することにより、記録媒体１００への描画を実行する。
【００４４】
信号処理回路６１は、情報処理部７０から入力される電圧値ファイル４４（指令電圧値（ＤMi，ＤCi，ＤYi）のリスト）を、画像信号Ｄｉｎとして取得する。信号処理回路６１は、例えば、画像信号Ｄｉｎから、スキャナ部６６のスキャナ動作に応じた画素信号Ｄｏｕｔを生成する。画素信号Ｄｏｕｔは、光源部６３（例えば、後述の各光源６３Ａ，６３Ｂ，６３Ｃ）に、指令電圧値（ＤMi，ＤCi，ＤYi）に応じたパワーのレーザ光を出力させる。信号処理回路６１は、レーザ駆動回路６２とともに、画素信号Ｄｏｕｔに応じて、光源部６３（例えば、各光源６３Ａ，６３Ｂ，６３Ｃ）に印加する電流パルスの波高値などを制御する。
【００４５】
レーザ駆動回路６２は、例えば、画素信号Ｄｏｕｔにしたがって光源部６３の各光源６３Ａ，６３Ｂ，６３Ｃを駆動する。レーザ駆動回路６２は、例えば、画素信号Ｄｏｕｔに応じた画像を描画するためにレーザ光の輝度（明暗）を制御する。レーザ駆動回路６２は、例えば、光源６３Ａを駆動する駆動回路６２Ａと、光源６３Ｂを駆動する駆動回路６２Ｂと、光源６３Ｃを駆動する駆動回路６２Ｃとを有している。光源６３Ａ，６３Ｂ，６３Ｃは、指令電圧値（ＤMi，ＤCi，ＤYi）に応じたパワーのレーザ光を記録媒体１００に出力することにより、記録媒体１００への描画を実行する。光源６３Ａ，６３Ｂ，６３Ｃは、近赤外域のレーザ光を出射する。光源６３Ａは、例えば、発光波長λ１のレーザ光Ｌａを出射する半導体レーザである。光源６３Ｂは、例えば、発光波長λ２のレーザ光Ｌｂを出射する半導体レーザである。光源６３Ｃは、例えば、発光波長λ３のレーザ光Ｌｃを出射する半導体レーザである。発光波長λ１，λ２，λ３は、例えば、以下の式（１）、式（２）、式（３）を満たしている。
【００４６】
λａ１−２０ｎｍ＜λ１＜λａ１＋２０ｎｍ…（１）
λａ２−２０ｎｍ＜λ２＜λａ２＋２０ｎｍ…（２）
λａ３−２０ｎｍ＜λ３＜λａ３＋２０ｎｍ…（３）
【００４７】
ここで、λａ１は、記録層１１３ａの吸収波長（吸収ピーク波長）であり、例えば、９１５ｎｍである。λａ２は、記録層１１３ｂの吸収波長（吸収ピーク波長）であり、例えば、８６０ｎｍである。λａ３は、記録層１１３ｃの吸収波長（吸収ピーク波長）であり、例えば、７６０ｎｍである。なお、式（１）、式（２）、式（３）における「±２０ｎｍ」は、許容誤差範囲を意味している。発光波長λ１，λ２，λ３が式（１）、式（２）、式（３）を満たす場合、発光波長λ１は、例えば、９１５ｎｍであり、発光波長λ２は、例えば、８６０ｎｍであり，発光波長λ３は、例えば、７６０ｎｍである。
【００４８】
光源部６３は、近赤外域において発光波長の互いに異なる複数の光源を有している。光源部６３は、例えば、３つの光源６３Ａ，６３Ｂ，６３Ｃを有している。光源部６３は、さらに、例えば、複数の光源（例えば、３つの光源６３Ａ，６３Ｂ，６３Ｃ）から出射されたレーザ光を合波する光学系を有している。光源部６３は、そのような光学系として、例えば、２つの反射ミラー６３ａ，６３ｄと、２つのダイクロイックミラー６３ｂ，６３ｃと、レンズ６３ｅとを有している。
【００４９】
２つの光源６３Ａ，６３Ｂから出射された各レーザ光Ｌａ，Ｌｂは、例えば、コリメートレンズによってほぼ平行光（コリメート光）にされる。その後、例えば、レーザ光Ｌａは、反射ミラー６３ａで反射されるとともにダイクロイックミラー６３ｂで反射され、レーザ光Ｌｂは、ダイクロイックミラー６３ｂを透過することにより、レーザ光Ｌａとレーザ光Ｌａとが合波される。レーザ光Ｌａとレーザ光Ｌａとの合波光は、ダイクロイックミラー６３ｃを透過する。
【００５０】
光源６３Ｃから出射されたレーザ光Ｌｃは、例えば、コリメートレンズによってほぼ平行光（コリメート光）にされる。その後、レーザ光Ｌｃは、例えば、反射ミラー６３ｄで反射されるとともにダイクロイックミラー６３ｃで反射される。これにより、ダイクロイックミラー６３ｃを透過した上記合波光と、ダイクロイックミラー６３ｃで反射されたレーザ光Ｌｃとが合波される。光源部６３は、例えば、上記の光学系による合波により得られた合波光Ｌｍをスキャナ部６６に出力する。
【００５１】
調整機構６４は、光源部６３から出射される合波光Ｌｍのフォーカスを調整するための機構である。調整機構６４は、例えば、ユーザによる手動操作によってレンズ６３ｅの位置を調整する機構である。なお、調整機構６４は、機械による操作によってレンズ６３ｅの位置を調整する機構であってもよい。
【００５２】
スキャナ駆動回路６５は、例えば、信号処理回路６１から入力された投影映像クロック信号に同期して、スキャナ部６６を駆動する。また、スキャナ駆動回路６５は、例えば、スキャナ部６６から、後述の２軸スキャナ６６Ａなどの照射角度についての信号が入力される場合には、その信号に基づいて、所望の照射角度になるようにスキャナ部６６を駆動する。
【００５３】
スキャナ部６６は、例えば、光源部６３から入射された合波光Ｌｍを、記録媒体１００の表面上でラスタースキャンさせる。スキャナ部６６は、例えば、２軸スキャナ６６Ａと、ｆθレンズ６６Ｂとを有している。２軸スキャナ６６Ａは、例えば、ガルバノミラーである。ｆθレンズ６６Ｂは、２軸スキャナ６６Ａによる等速回転運動を、焦点平面（記録媒体１００の表面）上を動くスポットの等速直線運動に変換する。なお、スキャナ部６６は、１軸スキャナと、ｆθレンズとによって構成されていてもよい。この場合、記録媒体１００を、１軸スキャナのスキャン方向と直交する方向に変位させる１軸ステージが設けられていることが好ましい。
【００５４】
次に、描画システム１における情報の書き込みの一例について説明する。
【００５５】
[書き込み]
まず、ユーザは、未発色の記録媒体１００を用意し、スキャナ部５０にセットする。次に、ユーザは、端末装置からネットワークを介して、ＲＧＢ色空間で記述された入力画像データＩ1を描画システム１に送信する。描画システム１は、入力画像データＩ1を、ネットワークを介して受信すると、以下の描画プロセスを実行する。
【００５６】
まず、情報処理部７０（色空間変換部７１）は、通信部１０を介して入力画像データＩ1を受信すると、記憶部４０から読み出した変換プロファイル４５を用いて、ＲＧＢ色空間で記述された入力画像データＩ1を、Ｌ*，ａ*，ｂ*色空間で記述された中間画像データＩ2に変換する。続いて、情報処理部７０（色空間変換部７１）は、記憶部４０から読み出した変換プロファイル４６を用いて、Ｌ*，ａ*，ｂ*色空間で記述された中間画像データＩ2を、ロイコ色空間で記述されたロイコ画像データＩ3に変換する。
【００５７】
次に、情報処理部７０（指令電圧値算出部７２）は、スキャナ部５０に測定指令を送信する。スキャナ部５０は、測定指令を受けると、既にセットされている未発色の記録媒体１００において、未発色の記録媒体１００の描画座標ごとの吸光度相関値５０Ａ（具体的にはＬ*値）を計測する。スキャナ部５０は、描画座標と、取得した未発色の記録媒体１００の描画座標ごとの吸光度相関値５０Ａ（具体的にはＬ*値）とを情報処理部７０（指令電圧値算出部７２）に送信する。
【００５８】
次に、情報処理部７０（指令電圧値算出部７２）は、スキャナ部５０で得られた描画座標と、ロイコ画像データＩ3の各描画座標の各色の階調値（ＬMi，ＬCi，ＬYi）と、スキャナ部５０で得られた未発色の記録媒体１００の描画座標ごとの吸光度相関値５０Ａ（具体的にはＬ*値）とを、記憶部４０から読み出した特性関数４１，４２および変換テーブル５１に入力することにより、描画部６０の出力設定値である指令電圧値Ｄｖ（ＤMi，ＤCi，ＤYi）を導出する。続いて、情報処理部７０（除外判定部７３）は、記憶部４０から読み出した除外条件リスト４３を用いて、指令電圧値Ｄｖ（ＤMi，ＤCi，ＤYi）のリストの中に、描画部６０による記録媒体１００への描画において消去不具合または媒体変質不具合が生じ得る範囲内の指令電圧値Ｄｖ（ＤMk，ＤCk，ＤYk）が含まれているか否かを判定する。その結果、情報処理部７０（除外判定部７３）は、含まれているとの判定をした場合には、該当する指令電圧値Ｄｖ（ＤM，ＤC，ＤY）を、指令電圧値Ｄｖ（ＤMi，ＤCi，ＤYi）のリストから除外し、それにより得られた指令電圧値Ｄｖ（ＤMi，ＤCi，ＤYi）のリストを、電圧値ファイル４４として記憶部４０に記憶させる。
【００５９】
情報処理部７０（除外判定部７３）は、さらに、電圧値ファイル４４（指令電圧値（ＤM，ＤC，ＤY）のリスト）を描画部６０に送信する。描画部６０の信号処理回路６１は、情報処理部７０から入力される電圧値ファイル４４（指令電圧値（ＤM，ＤC，ＤY）のリスト）を、画像信号Ｄｉｎとして取得する。信号処理回路６１は、画像信号Ｄｉｎから、スキャナ部６６のスキャナ動作に同期し、レーザ光の波長などの特性に応じた画像信号を生成する。信号処理回路６１は、生成した画像信号通りにレーザ光が発光するような投影画像信号を生成する。信号処理回路６１は、生成した投影画像信号を、描画部６０のレーザ駆動回路６２に出力する。
【００６０】
レーザ駆動回路６２は、各波長に応じた投影映像信号にしたがって光源部６３の各光源６３Ａ，６３Ｂ，６３Ｃを駆動する。このとき、レーザ駆動回路６２は、例えば、光源６３Ａ、光源６３Ｂおよび光源６３Ｃのうち、少なくとも１つの光源からレーザ光を出射させ、記録媒体１００や記録媒体１０１〜１０５（後述）上で走査させる。
【００６１】
その結果、例えば発光波長７６０ｎｍのレーザ光Ｌａが、記録層１１３ｃ内の光熱変換剤１００Ｂに吸収され、それにより、光熱変換剤１００Ｂから発生した熱により記録層１１３ｃ内のロイコ色素１００Ａが書き込み温度に到達し、顕色剤と結合して黄色を発色する。黄色の発色濃度は、発光波長７６０ｎｍのレーザ光Ｌａの強度に依る。また、例えば発光波長８６０ｎｍのレーザ光Ｌｂが、記録層１１３ｂ内の光熱変換剤１００Ｂに吸収され、それにより、光熱変換剤１００Ｂから発生した熱により記録層１１３ｂ内のロイコ色素１００Ａが書き込み温度に到達し、顕色剤と結合してシアン色を発色する。シアン色の発色濃度は、発光波長８６０ｎｍのレーザ光Ｌｂの強度に依る。また、例えば発光波長９１５ｎｍのレーザ光Ｌｃが、記録層１１３ａ内の光熱変換剤１００Ｂに吸収され、それにより、光熱変換剤１００Ｂから発生した熱により記録層１１３ａ内のロイコ色素１００Ａが書き込み温度に到達し、顕色剤と結合してマゼンタ色を発色する。マゼンタ色の発色濃度は、発光波長９１５ｎｍのレーザ光Ｌｃの強度に依る。その結果、黄色、シアン色およびマゼンタ色の混色によって、所望の色が発色する。このようにして、描画部６０は、記録媒体１００における情報の書き込みを行う。
【００６２】
次に、描画システム１における情報の書き込みに必要な特性関数４１，４２および変換テーブル５１の生成手順の一例について説明する。
【００６３】
[特性関数４１，４２および変換テーブル５１の生成]
図５は、特性関数４１，４２および変換テーブル５１の生成手順の一例を表したものである。ユーザは、まずは、特性関数４１の生成を行う。具体的には、ユーザは、まず、例えば、図６（Ａ）に示したように、各々が互いに異なるロイコ色素１００Ａおよび互いに異なる光熱変換剤１００Ｂを含んで構成された３つの記録層１１３（１１３ａ，１１３ｂ，１１３ｃ）を備えた未発色の複数の記録媒体１００（１０１）（積層記録媒体）を用意する。ユーザは、さらに、例えば、図６（Ｂ）〜図６（Ｄ）に示したように、記録層１１３（１１３ａ）を備えた未発色の複数の記録媒体１０２（単層記録媒体）と、記録層１１３（１１３ｂ）を備えた未発色の複数の記録媒体１０３（単層記録媒体）と、記録層１１３（１１３ｃ）を備えた未発色の複数の記録媒体１０４（単層記録媒体）とを用意する。なお、積層記録媒体とは、複数の記録層１３３が設けられた記録媒体を意味している。単層記録媒体とは、１つの記録層１１３だけが設けられた記録媒体を意味している。
【００６４】
記録媒体１０２は、例えば、記録媒体１００において、記録層１１３ｂ，１１３ｃおよび断熱層１１４ａ，１１４ｂが省略された単層記録媒体である。記録媒体１０３は、例えば、記録媒体１００において、記録層１１３ａ，１１３ｃおよび断熱層１１４ａ，１１４ｂが省略された単層記録媒体である。記録媒体１０４は、例えば、記録媒体１００において、記録層１１３ａ，１１３ｂおよび断熱層１１４ａ，１１４ｂが省略された単層記録媒体である。なお、記録媒体１０２，１０３，１０４において、断熱層１１４ａまたは断熱層１１４ｂが設けられていてもよい。記録媒体１０１は、本開示の「第１記録媒体」の一具体例に相当する。記録媒体１０２は、本開示の「第２記録媒体」の一具体例に相当する。記録媒体１０３は、本開示の「第３記録媒体」の一具体例に相当する。記録媒体１０４は、本開示の「第４記録媒体」の一具体例に相当する。
【００６５】
次に、ユーザは、入力部２０を操作することで、特性関数４１生成用のインターフェースの表示を要求する。情報処理部７０は、その要求に応じて、特性関数４１作成用の画面データを表示部３０に送信する。表示部３０は、情報処理部７０によって作成された画面データに基づいて、特性関数４１作成用のインターフェースの表示を行う。続いて、ユーザは、特性関数４１生成用のインターフェースの表示に基づいて、入力部２０を操作することで、特性関数４１の生成動作を指示する。すると、情報処理部７０は、その指示に応じて、特性関数４１の生成動作を実行する。
【００６６】
まず、情報処理部７０は、未発色の記録媒体１０１，１０２，１０３，１０４の測定用の画面データを表示部３０に送信する。表示部３０は、情報処理部７０によって作成された画面データに基づいて、未発色の記録媒体１０１，１０２，１０３，１０４の測定用のインターフェースの表示を行う。続いて、ユーザは、未発色の記録媒体１０１，１０２，１０３，１０４の測定用のインターフェースの表示に基づいて、未発色の複数の記録媒体１０１，１０２，１０３，１０４を順次、スキャナ部５０にセットし、入力部２０を操作することにより、スキャナ部５０による複数の記録媒体１０１，１０２，１０３，１０４の測定を順次、要求する。
【００６７】
すると、情報処理部７０は、その要求に応じて、複数の記録媒体１０１，１０２，１０３，１０４の測定指令を順次、スキャナ部５０に送信する。スキャナ部５０は、情報処理部７０からの測定指令に応じて順次、未発色の複数の記録媒体１０１，１０２，１０３，１０４の表面における、吸光度相関値５０Ａ（具体的にはＬ*値）を計測する（ステップＳ１０１）。このとき、スキャナ部５０は、例えば、図７（Ａ）〜図７（Ｄ）に示したような吸光度相関値５０Ａ（具体的にはＬ*値）を取得する。その後、スキャナ部５０は、
描画座標と、取得した、未発色の複数の記録媒体１０１，１０２，１０３，１０４の描画座標ごとの吸光度相関値５０Ａとを情報処理部７０に送信する。
【００６８】
なお、図７（Ａ）には、記録媒体１０１の描画座標（Ｘ，Ｙｉ）における吸光度相関値５０Ａ（具体的にはＬ*値）の一例が示されている。描画座標Ｙｉにおけるｉは、例えば、０〜Ｎｘの範囲内の値を採る。図７（Ｂ）には、記録媒体１０２の描画座標（Ｘ，Ｙｉ）における吸光度相関値５０Ａ（具体的にはＬ*値）の一例が示されている。図７（Ｃ）には、記録媒体１０３の描画座標（Ｘ，Ｙｉ）における吸光度相関値５０Ａ（具体的にはＬ*値）の一例が示されている。図７（Ｄ）には、記録媒体１０４の描画座標（Ｘ，Ｙｉ）における吸光度相関値５０Ａ（具体的にはＬ*値）の一例が示されている。
【００６９】
情報処理部７０は、スキャナ部５０から、描画座標と、未発色の複数の記録媒体１０１，１０２，１０３，１０４の描画座標ごとの吸光度相関値５０Ａとを取得すると、記憶部４０から学習プログラム４８を読み出す。そして、情報処理部７０は、読み出した学習プログラム４８に基づいて、描画座標と、未発色の複数の記録媒体１０１，１０２，１０３，１０４の描画座標ごとの吸光度相関値５０Ａとを学習データとして機械学習をすることにより、特性関数４１を生成する（ステップＳ１０２）。このようにして、描画座標と、未発色の記録媒体１００（１０１）における描画座標ごとの吸光度相関値５０Ａ（具体的にはＬ*値）とから、未発色の記録媒体１００（１０１）に含まれる各記録層１１３における描画座標ごとの吸光度相関値５０Ａ（具体的にはＬ*値）を導出する特性関数４１が生成される。その後、情報処理部７０は、生成した特性関数４１を記憶部４０に記憶させる。
【００７０】
次に、ユーザは、特性関数４２および変換テーブル５１の生成を行う。具体的には、ユーザは、入力部２０を操作することで、特性関数４２および変換テーブル５１生成用のインターフェースの表示を要求する。情報処理部７０は、その要求に応じて、特性関数４２および変換テーブル５１作成用の画面データを表示部３０に送信する。表示部３０は、情報処理部７０によって作成された画面データに基づいて、特性関数４２および変換テーブル５１作成用のインターフェースの表示を行う。続いて、ユーザは、特性関数４２および変換テーブル５１生成用のインターフェースの表示に基づいて、入力部２０を操作することで、特性関数４２および変換テーブル５１の生成動作を指示する。すると、情報処理部７０は、その指示に応じて、特性関数４２および変換テーブル５１の生成動作を実行する。
【００７１】
まず、情報処理部７０は、未発色の複数の記録媒体１０５の測定用の画面データを表示部３０に送信する。表示部３０は、情報処理部７０によって作成された画面データに基づいて、未発色の複数の記録媒体１０５（図８参照）の測定用のインターフェースの表示を行う。続いて、ユーザは、未発色の複数の記録媒体１０５をスキャナ部５０に順次セットし、未発色の複数の記録媒体１０５の測定用のインターフェースの表示に基づいて、入力部２０を操作することにより、スキャナ部５０による記録媒体１０５の測定を要求する。すると、情報処理部７０は、その要求に応じて、記録媒体１０５の測定指令を順次、スキャナ部５０に送信する。スキャナ部５０は、情報処理部７０からの測定指令に応じて、未発色の複数の記録媒体１０５の吸光度相関値５０Ａ（具体的にはＬ*値）を取得する（ステップＳ１０３）。このとき、スキャナ部５０は、例えば、図９（Ａ）に示したような吸光度相関値５０Ａ（具体的にはＬ*値）を取得する。その後、スキャナ部５０は、描画座標と、取得した、未発色の複数の記録媒体１０５の描画座標ごとの吸光度相関値５０Ａ（具体的にはＬ*値）とを情報処理部７０に送信する。
【００７２】
情報処理部７０は、スキャナ部５０から、描画座標と、未発色の複数の記録媒体１０５の描画座標ごとの吸光度相関値５０Ａ（具体的にはＬ*値）とを取得すると、描画座標と、未発色の複数の記録媒体１０５の描画座標ごとの吸光度相関値５０Ａ（具体的にはＬ*値）とを特性関数４１に入力することにより、未発色の複数の記録媒体１０５に含まれる各記録層１１３の吸光度相関値５０Ａ（具体的にはＬ*値）を描画座標ごとに導出する（ステップＳ１０４）。このとき、情報処理部７０は、例えば、図９（Ｂ）、図９（Ｃ），図９（Ｄ）に示したような吸光度相関値５０Ａ（具体的にはＬ*値）を取得する。情報処理部７０は、特性関数４１を用いて導出した、未発色の複数の記録媒体１０５に含まれる各記録層１１３の吸光度相関値５０Ａ（具体的にはＬ*値）を記憶部４０に記憶させる。
【００７３】
なお、図９（Ａ）には、記録媒体１０５の描画座標（Ｘ，Ｙｉ）における吸光度相関値５０Ａ（具体的にはＬ*値）の一例が示されている。図９（Ｂ）には、記録媒体１０５に含まれる記録層１１３ａの描画座標（Ｘ，Ｙｉ）における吸光度相関値５０Ａ（具体的にはＬ*値）の一例が示されている。図９（Ｃ）には、記録媒体１０５に含まれる記録層１１３ｂの描画座標（Ｘ，Ｙｉ）における吸光度相関値５０Ａ（具体的にはＬ*値）の一例が示されている。図９（Ｄ）には、記録媒体１０５に含まれる記録層１１３ｃの描画座標（Ｘ，Ｙｉ）における吸光度相関値５０Ａ（具体的にはＬ*値）の一例が示されている。
【００７４】
次に、情報処理部７０は、様々な階調で発色させた複数の記録媒体１０５の測定用の画面データを表示部３０に送信する。表示部３０は、情報処理部７０によって作成された画面データに基づいて、様々な階調で発色させた複数の記録媒体１０５の測定用のインターフェースの表示を行う。続いて、ユーザは、様々な階調で発色させた複数の記録媒体１０５の測定用のインターフェースの表示に基づいて、未発色の複数の記録媒体１０５を順次、描画部６０にセットし、入力部２０を操作することにより、複数の記録媒体１０５の、様々な階調での発色を要求する。
【００７５】
すると、情報処理部７０は、その要求に応じて、複数の記録媒体１０５の描画指令を順次、描画部６０に送信する。描画部６０は、情報処理部７０からの描画指令に応じて、複数の記録媒体１０５に含まれる３つの記録層１１３（１１３ａ，１１３ｂ，１１３ｃ）を順次、様々な階調で発色させる。描画部６０は、例えば、情報処理部７０からの描画指令に応じて順次、未発色の複数の記録媒体１０５の記録層１０３ａへのグラデーション描画（図１０（Ａ）参照）と、未発色の複数の記録媒体１０５の記録層１０３ｂへのグラデーション描画（図１０（Ｂ）参照）と、未発色の複数の記録媒体１０５の記録層１０３ｃへのグラデーション描画（図１０（Ｃ）参照）とを行う。このとき、描画部６０は、描画部６０によるレーザ走査をＹ方向に順次ずらず度に、描画行ごとに設定された指令電圧値Ｄｖに対応する出力で描画を行うことにより、グラデーション描画を行う。情報処理部７０は、グラデーション描画の際に設定した指令電圧値Ｄｖのリストを記憶部４０に記憶させる。
【００７６】
その一方で、ユーザは、例えば、グラデーション描画が完了するたびに、グラデーション描画のなされた記録媒体１０５をスキャナ部５０にセットし、入力部２０を操作することにより、記録媒体１０５の測定を要求する。すると、情報処理部７０は、その要求に応じて、記録媒体１０５の測定指令をスキャナ部５０に送信する。スキャナ部５０は、情報処理部７０からの測定指令に応じて、グラデーション描画のなされた記録媒体１０５の表面における、吸光度相関値５０Ａ（具体的にはＬ*値）を計測する（ステップＳ１０５）。このとき、スキャナ部５０は、例えば、図１１（Ａ）、図１１（Ｂ）、図１１（Ｃ）に示したような吸光度相関値５０Ａ（具体的にはＬ*値）を取得する。
【００７７】
なお、図１１（Ａ）には、図１０（Ａ）の記録媒体１０５の描画座標（Ｘ，Ｙ）における吸光度相関値５０Ａ（具体的にはＬ*値）の一例が示されている。図１１（Ｂ）には、図１０（Ｂ）の記録媒体１０５の描画座標（Ｘ，Ｙ）における吸光度相関値５０Ａ（具体的にはＬ*値）の一例が示されている。図１１（Ｃ）には、図１０（Ｃ）の記録媒体１０５の描画座標（Ｘ，Ｙ）における吸光度相関値５０Ａ（具体的にはＬ*値）の一例が示されている。
【００７８】
次に、スキャナ部５０は、描画座標と、取得した、グラデーション描画のなされた記録媒体１０５の描画座標ごとの吸光度相関値５０Ａ（具体的にはＬ*値）とを情報処理部７０に送信する。情報処理部７０は、描画座標と、グラデーション描画の際の描画座標ごとの吸光度相関値５０Ａ（具体的にはＬ*値）の測定値と、グラデーション描画の際の描画座標ごとの指令電圧値Ｄｖの設定値とに基づいて、変換テーブル５１を生成する。このようにして、情報処理部７０は、吸光度相関値５０Ａ（具体的にはＬ*値）と、ロイコ色空間における階調値（ＬM，ＬC，ＬY）との対応関係を記述した変換テーブル５１を生成する。
【００７９】
情報処理部７０は、例えば、以下のようにして、変換テーブル５１を生成する。まず、情報処理部７０は、グラデーション描画の際の描画座標ごとの吸光度相関値５０Ａ（具体的にはＬ*値）の測定値の中から、グラデーション描画の際に描画座標ごとに設定された指令電圧値Ｄｖの中で最も大きな指令電圧値Ｄｖが設定された描画座標における、吸光度相関値５０Ａ（具体的にはＬ*値）を抽出する。続いて、情報処理部７０は、抽出した複数の吸光度相関値５０Ａ（具体的にはＬ*値）の中で最も大きな吸光度相関値５０Ａ（具体的にはＬ*値の最大値Ｌ*ｍａｘ）に、ロイコ色空間における階調値０を対応付ける。次に、情報処理部７０は、グラデーション描画の際の描画座標ごとの吸光度相関値５０Ａ（具体的にはＬ*値）の測定値の中から、グラデーション描画の際に描画座標ごとに設定した指令電圧値Ｄｖの中で最も小さな指令電圧値Ｄｖが設定された描画座標における、吸光度相関値５０Ａ（具体的にはＬ*値）の測定値を抽出する。続いて、情報処理部７０は、抽出した複数の吸光度相関値５０Ａ（具体的にはＬ*値）の測定値の中で最も小さな吸光度相関値５０Ａ（具体的にはＬ*値の最小値Ｌ*ｍｉｎ）に、ロイコ色空間における階調値２５５を対応付ける。
【００８０】
その後、情報処理部７０は、吸光度相関値５０Ａ（具体的にはＬ*値）と、ロイコ色空
間における階調値とは線形の関係にあるとの仮定の下、線形補間で、吸光度相関値５０Ａ（具体的にはＬ*値）に、ロイコ色空間における所定の大きさの階調値を対応付ける。情報処理部７０は、ロイコ色空間の色域における、Ｍａｇｅｎｔａ、ＣｙａｎおよびＹｅｌｌｏｗごとに、上記の手順を実行する。このようにして、情報処理部７０は、例えば、図１２（Ａ）、図１２（Ｂ）、図１２（Ｃ）に示したような、吸光度相関値５０Ａ（具体的にはＬ*値）と、ロイコ色空間における階調値（ＬM，ＬC，ＬY）との対応関係を記述した変換テーブル５１を生成する。
【００８１】
なお、図１２（Ａ）には、ロイコ色空間のＭａｇｅｎｔａにおける変換テーブル５１の概念の一例が示されている。図１２（Ｂ）には、ロイコ色空間のＣｙａｎにおける変換テーブル５１の概念の一例が示されている。図１２（Ｃ）には、ロイコ色空間のＹｅｌｌｏｗにおける変換テーブル５１の概念の一例が示されている。
【００８２】
次に、情報処理部７０は、グラデーション描画の際の描画座標ごとの吸光度相関値５０Ａ（具体的にはＬ*値）の測定値を、変換テーブル５１に入力することにより、ロイコ色空間における階調値（ＬM，ＬC，ＬY）を導出する。続いて、情報処理部７０は、図１３に示したように、描画座標と、特性関数４１によって導出された、未発色の複数の記録媒体１０５に含まれる各記録層１１３の吸光度相関値５０Ａ（具体的にはＬ*値）と、変換テーブル５１による変換により得られた、ロイコ色空間における階調値（ＬM，ＬC，ＬY）と、グラデーション描画の際に描画座標ごとに設定した指令電圧値（ＤM，ＤC，ＤY）とを学習データとして機械学習をすることにより、特性関数４２を生成する（ステップＳ１０７）。このようにして、描画座標と、未発色の記録媒体１０５に含まれる各記録層１１３の吸光度相関値５０Ａ（具体的にはＬ*値）と、ロイコ色空間における階調値（ＬM，ＬC，ＬY）とから、未発色の記録媒体１０５に含まれる各記録層１１３を発色させるための指令電圧値（ＤM，ＤC，ＤY）を描画座標ごとに導出する特性関数４２が生成される。その結果、未発色の記録媒体１０５の吸光度相関値５０Ａ（具体的にはＬ*値）と、ロイコ色空間における階調値（ＬM，ＬC，ＬY）とから、未発色の記録媒体１０５に含まれる各記録層１１３を発色させるための指令電圧値（ＤM，ＤC，ＤY）を導出する特性関数４１，４２が生成される。
【００８３】
[効果]
次に、本実施の形態に係る描画システム１の効果について説明する。
【００８４】
ロイコ色素を用いた感熱方式の記録媒体への描画では、記録媒体中の発光層に含まれる光熱変換剤の量（つまり発光層の吸光度）と、発光層に照射する光のパワーとによって発色の程度が決まる。しかし、発光層の吸光度には場所によるムラがあり、光のパワーには走査速度ムラや光プロファイルの時間的な変動がある。光プロファイルの時間的な変動は、例えば、２軸スキャナ６６Ａで合波光Ｌｍを走査したときに、ｆθレンズ６６Ｂの設計や加工精度に起因して合波光Ｌｍの光プロファイルに変動が生じることによって生じ得る。そのため、狙いの色を忠実に発色させることが難しいという問題があった。
【００８５】
一方、本実施の形態に係る描画システム１では、描画部６０の出力設定値である指令電圧値（ＤM，ＤC，ＤY）が、特性関数４１，４２によって導出される。ここで、特性関数４１，４２では、吸光度相関値が変数となっているので、描画対象である記録媒体１００の吸光度ムラが考慮される。また、描画部６０の走査速度ムラや光プロファイルの時間的な変動については、描画座標での管理が可能であることから、特性関数４１，４２において、描画部６０の走査速度ムラや光プロファイルの時間的な変動を考慮することが可能である。従って、描画部６０の出力設定値である指令電圧値（ＤM，ＤC，ＤY）の導出に、特性関数４１，４２を用いることで、狙いの色を忠実に発色させるための制御をすることができる。その結果、記録媒体１００で狙いの色を忠実に発色させることができる。
【００８６】
また、本実施の形態に係る描画システム１では、吸光度相関値がＬ*，ａ*，ｂ*色空間におけるＬ*値となっている。これにより、吸光度を測定しなくても、描画対象である記録媒体１００の吸光度ムラを考慮することができる。従って、狙いの色を忠実に発色させるための制御をすることができる。その結果、記録媒体１００で狙いの色を忠実に発色させることができる。
【００８７】
また、本実施の形態に係る描画システム１では、描画部６０の光源部６３は、指令電圧値（ＤMi，ＤCi，ＤYi）に応じたパワーのレーザ光を出力することにより、記録媒体１００への描画を実行する。これにより、記録媒体１００に描画するのに適したパワーのレーザ光を出力することができる。その結果、記録媒体１００で忠実に色再現することができる。
【００８８】
また、本実施の形態に係る描画システム１では、吸光度相関値は、未発色の記録媒体１００を測定することにより得られる。これにより、未発色の記録層１１３のわずかな吸光度相関値の違いを利用して、描画対象である記録媒体１００の吸光度ムラを考慮することができる。従って、狙いの色を忠実に発色させるための制御をすることができる。その結果、記録媒体１００で狙いの色を忠実に発色させることができる。
【００８９】
また、本実施の形態に係る描画システム１では、変換プロファイル４５，４６を用いて、デバイス依存色空間で記述された入力画像データＩ1が、ロイコ色空間で記述されたロイコ画像データＩ3に変換される。これにより、ロイコ画像データＩ3を描画するのに適した指令電圧値（ＤM，ＤC，ＤY）を得ることができる。その結果、記録媒体１００で忠実に色再現することができる。
【００９０】
また、本実施の形態に係る描画システム１における特性関数４１，４２の生成方法では、記録層１１３のわずかな吸光度相関値５０Ａ（具体的にはＬ*値）の違いを利用した機械学習により特性関数４１，４２が生成される。ここで、特性関数４１，４２では、記録媒体１００の吸光度と相関のある吸光度相関値５０Ａ（具体的にはＬ*値）が変数となっている。そのため、描画対象である記録媒体１００の吸光度ムラが考慮される。また、描画に用いる光源部６３の走査速度ムラや光プロファイルの時間的な変動については、描画座標での管理が可能である。そのため、特性関数４１，４２において、吸光度相関値５０Ａ（具体的にはＬ*値）、ロイコ色空間における階調値および光源部６３の出力設定値を描画座標ごとに規定された変数とすることにより、特性関数４１，４２において、描画に用いる光源部６３の走査速度ムラや光プロファイルの時間的な変動を考慮することが可能である。従って、描画に用いる光源部６３の出力設定値Ｄｖの導出に、特性関数４１，４２を用いることで、狙いの色を忠実に発色させるための制御をすることが可能である。
【００９１】
また、本実施の形態に係る描画システム１における特性関数４１，４２の生成方法では、各記録媒体１０５の３つの吸光度相関値５０Ａ（具体的にはＬ*値）の計測値と、ロイコ色空間おける階調値との対応関係を記述した変換テーブル５１が生成され、生成された変換テーブル５１を用いて、各記録媒体１０５の３つの吸光度相関値５０Ａ（具体的にはＬ*値）の計測値から、ロイコ色空間における階調値が導出される。これにより、狙いの色を忠実に発色させるための制御をすることが可能である。
【００９２】
また、本実施の形態に係る描画システム１における特性関数４１，４２の生成方法では、吸光度相関値がＬ*，ａ*，ｂ*色空間におけるＬ*値となっている。これにより、吸光度を測定しなくても、描画対象である記録媒体１０５の吸光度ムラを考慮した特性関数４１，４２を得ることができる。従って、狙いの色を忠実に発色させるための制御をすることが可能である。
【００９３】
また、本実施の形態に係る描画システム１における特性関数４１，４２の生成方法では、描画部６０の光源部６３から、指令電圧値（ＤMi，ＤCi，ＤYi）に応じたパワーのレーザ光を記録媒体１０５に出力させることにより、各記録媒体１０５が様々な階調で発色する。これにより、狙いの色を忠実に発色させるための制御をすることが可能である。
【００９４】
また、本実施の形態に係る描画システム１では、デバイス依存色空間とデバイス非依存色空間との関係を記述（マッピング）した変換プロファイル４５と、デバイス非依存色空間とロイコ色空間との関係を記述（マッピング）した変換プロファイル４６とが設けられている。これにより、描画システム１には、記録媒体１００に適したカラーマネージメントシステムが設けられているので、記録媒体１００で忠実に色再現することができる。
【００９５】
また、本実施の形態に係る変換プロファイル４６の作成方法では、指令電圧値Ｄｖ（ＤMi，ＤCi，ＤYi）のリストの中に、描画部６０による記録媒体１００への描画において消去不具合または媒体変質不具合が生じ得る範囲内の指令電圧値Ｄｖ（ＤMk，ＤCk，ＤYk）が含まれている場合には、該当する指令電圧値Ｄｖ（ＤM，ＤC，ＤY）が、消去不具合または媒体変質不具合が生じ得る範囲外の指令電圧値Ｄｖ（ＤM，ＤC，ＤY）に置き換えられる。これにより、記録媒体１００において消去不具合または媒体変質不具合が生じるのを防止することができる。
【００９６】
＜２．第２の実施の形態＞
[構成]
本開示の第２の実施の形態に係る描画システム２について説明する。図１４は、本実施の形態に係る描画システム２の概略構成例を表したものである。描画システム２は、記録媒体１００に対して、情報の書き込み（描画）および消去を行う。具体的には、描画システム２は、端末装置３において、入力画像データＩ1をロイコ画像データＩ3に変換する。描画システム２は、さらに、描画装置４において、ロイコ画像データＩ3を描画部６０の出力設定値に変換し、変換により得られた出力設定値を描画部６０に入力することにより、記録媒体１００への描画を行う。このように、描画システム２は、記録媒体１００に適したカラーマネージメントシステムを備えている。
【００９７】
描画システム２は、外部ネットワークであるネットワーク５を介して互いに接続された端末装置３および描画装置４を備えている。端末装置３は、通信部３４０を介してネットワーク５に接続されている。描画装置４は、通信部１０を介してネットワーク５に接続されている。ネットワーク５は、例えば、ＬＡＮまたはＷＡＮなどの通信回線である。端末装置３は、ネットワーク５を介して描画装置４と通信することができるように構成されている。描画装置４は、ネットワークを介して端末装置３と通信することができるように構成されている。
【００９８】
端末装置３は、例えば、入力部３１０、表示部３２０、記憶部３３０、通信部３４０および情報処理部３５０を備えている。
【００９９】
通信部３４０は、描画装置４と通信を行う。通信部３４０は、例えば、描画装置４から受信した各種データを情報処理部３５０に送信する。入力部３１０は、ユーザからの入力（例えば、実行指示、データ入力など）を受け付ける。入力部３１０は、ユーザによって入力された情報を情報処理部３５０へ送信する。表示部３２０は、情報処理部３５０によって作成された各種画面データに基づいて、画面表示を行う。表示部３２０は、例えば、液晶パネル、または、有機ＥＬ（Electro Luminescence）パネルなどによって構成されている。
【０１００】
記憶部３３０は、例えば、変換プロファイル４５，４６および処理プログラム４７Ａを記憶している。処理プログラム４７Ａは、上記実施の形態における描画プロセスにおける前段部分の手順（ロイコ画像データＩ3を生成するまでの手順）を含む。
【０１０１】
情報処理部３５０は、例えば、ＣＰＵおよびＧＰＵを含んで構成されており、記憶部３３０に記憶されたプログラム（例えば、処理プログラム４７Ａ）を実行する。情報処理部３５０は、例えば、処理プログラム４７Ａがロードされることにより、変換プロファイル４５を用いて、受信した入力画像データＩ1を、中間画像データＩ2に変換する。情報処理部３５０は、さらに、例えば、処理プログラム４７Ａがロードされることにより、変換プロファイル４６を用いて、中間画像データＩ2を、ロイコ画像データＩ3に変換する。情報処理部３５０は、さらに、例えば、ロイコ画像データＩ3を、通信部３４０およびネットワーク５を介して、情報処理部３５０に送信する。情報処理部３５０は、例えば、図１５に示したように、色空間変換部７１を有しており、色空間変換部７１において上述した一連の処理を実行することにより、ロイコ画像データＩ3を生成し、通信部３４０およびネットワーク５を介して描画装置４に送信する。
【０１０２】
描画装置４は、例えば、通信部１０、入力部２０、表示部３０、記憶部４０、描画部６０および情報処理部７０を備えている。描画装置４において、記憶部４０は、特性関数４１，４２、除外条件リスト４３、処理プログラム４７Ｂおよび学習プログラム４８，４９を記憶している。描画装置４において、記憶部４０には、電圧値ファイル４４および変換テーブル５１が記憶される。処理プログラム４７Ｂは、上記実施の形態における描画プロセスにおける後段部分の手順（指定電圧値の設定以降の手順）を含む。
【０１０３】
情報処理部７０は、例えば、ＣＰＵおよびＧＰＵを含んで構成されており、記憶部４０に記憶されたプログラム（例えば、処理プログラム４７Ｂ）を実行する。情報処理部７０は、例えば、処理プログラム４７Ｂがロードされることにより、特性関数４１，４２を用いて、通信部１０およびネットワーク５を介して入力されたロイコ画像データＩ3の各描画座標の各色の階調値（ＬMi，ＬCi，ＬYi）を、指令電圧値Ｄｖ（ＤMi，ＤCi，ＤYi）に変換する。情報処理部７０は、例えば、処理プログラム４７Ｂがロードされることにより、記憶部４０から読み出した除外条件リスト４３を用いて、指令電圧値Ｄｖ（ＤMi，ＤCi，ＤYi）のリストの中に、描画部６０による記録媒体１００への描画において消去不具合または媒体変質不具合が生じ得る範囲内の指令電圧値Ｄｖ（ＤMk，ＤCk，ＤYk）が含まれているか否かを判定する。その結果、情報処理部７０は、含まれているとの判定をした場合には、該当する指令電圧値Ｄｖ（ＤM，ＤC，ＤY）を、消去不具合または媒体変質不具合が生じ得る範囲外の指令電圧値Ｄｖ（ＤM，ＤC，ＤY）に置き換え、それにより得られた指令電圧値Ｄｖ（ＤMi，ＤCi，ＤYi）のリストを、描画部６０に送信する。情報処理部７０は、例えば、図１６に示したように、指令電圧値算出部７２および除外判定部７３を有しており、指令電圧値算出部７２および除外判定部７３において上述した一連の処理を実行することにより、電圧値ファイル４４（指令電圧値Ｄｖ（ＤMi，ＤCi，ＤYi）のリスト）を生成し、描画部６０に送信する。
【０１０４】
[書き込み]
次に、描画システム２における情報の書き込みの一例について説明する。まず、ユーザは、未発色の記録媒体１００を用意し、スキャナ部５０にセットする。次に、ユーザは、入力部３１０を操作することで、色空間変換用のインターフェースの表示を要求する。情報処理部３５０は、その要求に応じて、色空間変換用の画面データを表示部３２０に送信する。表示部３２０は、情報処理部３５０によって作成された画面データに基づいて、色空間変換用のインターフェースの表示を行う。続いて、ユーザは、色空間変換用のインターフェースの表示に基づいて、入力部３１０を操作することで、入力画像データＩ1を端末装置３の記憶部３３０に記憶させる。その後、ユーザは、色空間変換用のインターフェースの表示に基づいて、入力した入力画像データＩ1をロイコ画像データＩ3に変換する色空間変換動作を指示する。すると、情報処理部３５０は、その指示に応じて、色空間変換動作を実行する。
【０１０５】
まず、情報処理部３５０は、記憶部３３０から読み出した変換プロファイル４５を用いて、ユーザから入力された入力画像データＩ1を、Ｌ*，ａ*，ｂ*色空間で記述された中間画像データＩ2に変換する。続いて、情報処理部３５０は、記憶部３３０から読み出した変換プロファイル４６を用いて、Ｌ*，ａ*，ｂ*色空間で記述された中間画像データＩ2を、ロイコ色空間で記述されたロイコ画像データＩ3に変換する。その後、情報処理部３５０は、通信部３４０およびネットワーク５を介して描画装置４に送信する。
【０１０６】
描画装置４の情報処理部７０は、通信部１０を介してロイコ画像データＩ3を受信すると、スキャナ部５０に測定指令を送信する。スキャナ部５０は、測定指令を受けると、既にセットされている未発色の記録媒体１００において、未発色の記録媒体１００の描画座標ごとの吸光度相関値５０Ａ（具体的にはＬ*値）を計測する。スキャナ部５０は、描画座標と、取得した未発色の記録媒体１００の描画座標ごとの吸光度相関値５０Ａ（具体的にはＬ*値）とを情報処理部７０（指令電圧値算出部７２）に送信する。
【０１０７】
次に、情報処理部７０（指令電圧値算出部７２）は、描画装置４で得られた描画座標と、ロイコ画像データＩ3の各描画座標の各色の階調値（ＬMi，ＬCi，ＬYi）と、スキャナ部５０で得られた未発色の記録媒体１００の描画座標ごとの吸光度相関値５０Ａ（具体的にはＬ*値）とを、記憶部４０から読み出した特性関数４１，４２および変換テーブル５１に入力することにより、描画部６０の出力設定値である指令電圧値Ｄｖ（ＤMi，ＤCi，ＤYi）を導出する。続いて、情報処理部７０（除外判定部７３）は、記憶部４０から読み出した除外条件リスト４３を用いて、指令電圧値Ｄｖ（ＤMi，ＤCi，ＤYi）のリストの中に、描画部６０による記録媒体１００への描画において消去不具合または媒体変質不具合が生じ得る範囲内の指令電圧値Ｄｖ（ＤMk，ＤCk，ＤYk）が含まれているか否かを判定する。その結果、情報処理部７０（除外判定部７３）は、含まれているとの判定をした場合には、該当する指令電圧値Ｄｖ（ＤM，ＤC，ＤY）を、指令電圧値Ｄｖ（ＤMi，ＤCi，ＤYi）のリストから除外し、それにより得られた指令電圧値Ｄｖ（ＤMi，ＤCi，ＤYi）のリストを、電圧値ファイル４４として記憶部４０に記憶させる。
【０１０８】
情報処理部７０（除外判定部７３）は、さらに、電圧値ファイル４４（指令電圧値（ＤM，ＤC，ＤY）のリスト）を描画部６０に送信する。描画部６０の信号処理回路６１は、情報処理部７０から入力される電圧値ファイル４４（指令電圧値（ＤM，ＤC，ＤY）のリスト）を、画像信号Ｄｉｎとして取得する。信号処理回路６１は、画像信号Ｄｉｎから、スキャナ部６６のスキャナ動作に同期し、レーザ光の波長などの特性に応じた画像信号を生成する。信号処理回路６１は、生成した画像信号通りにレーザ光が発光するような投影画像信号を生成する。信号処理回路６１は、生成した投影画像信号を、描画部６０のレーザ駆動回路６２に出力する。
【０１０９】
レーザ駆動回路６２は、各波長に応じた投影映像信号にしたがって光源部６３の各光源６３Ａ，６３Ｂ，６３Ｃを駆動する。このとき、レーザ駆動回路６２は、例えば、光源６３Ａ、光源６３Ｂおよび光源６３Ｃのうち、少なくとも１つの光源からレーザ光を出射させ、記録媒体１００や記録媒体１０１〜１０５（後述）上で走査させる。その結果、黄色、シアン色およびマゼンタ色の混色によって、所望の色が発色する。このようにして、描画部６０は、記録媒体１００における情報の書き込みを行う。
【０１１０】
[特性関数４１，４２および変換テーブル５１の生成]
本実施の形態では、描画装置４において、情報処理部７０が、上記実施の形態と同様の手順を経て、特性関数４１，４２および変換テーブル５１を生成する。
【０１１１】
[効果]
本実施の形態に係る描画システム２では、入力画像データＩ1からロイコ画像データＩ3を生成するプロセスを実行する装置（端末装置３）が、上記実施の形態に係る描画システム１で実行される装置（情報処理部７０）と異なっている。しかし、本実施の形態に係る描画システム２では、上記実施の形態と同様の描画プロセスや、特性関数４１，４２および変換テーブル５１の生成が実行される。従って、本実施の形態に係る描画システム２は、上記実施の形態と同様の効果を有している。
【０１１２】
＜３．第３の実施の形態＞
[構成]
本開示の第３の実施の形態に係る描画システム６について説明する。図１７は、本実施の形態に係る描画システム６の概略構成例を表したものである。描画システム６は、記録媒体１００に対して、情報の書き込み（描画）および消去を行う。具体的には、描画システム６は、端末装置３において、入力画像データＩ1をロイコ画像データＩ3に変換する。描画システム６は、さらに、描画装置４において、ロイコ画像データＩ3を描画部６０の出力設定値に変換し、変換により得られた出力設定値を描画部６０に入力することにより、記録媒体１００への描画を行う。このように、描画システム６は、記録媒体１００に適したカラーマネージメントシステムを備えている。
【０１１３】
本実施の形態では、スキャナ部５０の代わりに、ネットワーク５に接続されたスキャナ装置７が設けられている。スキャナ装置７は、スキャナ部５０と同様の機能を備えている。従って、本実施の形態における「書き込み」は、上記第２の実施の形態における「書き込み」において、スキャナ部５０をスキャナ装置７に読み替えたものに相当する。また、本実施の形態における「特性関数４１，４２および変換テーブル５１の生成」は、上記第１の実施の形態における「特性関数４１，４２および変換テーブル５１の生成」において、スキャナ部５０をスキャナ装置７に読み替えたものに相当する。
【０１１４】
[効果]
本実施の形態に係る描画システム６では、入力画像データＩ1からロイコ画像データＩ3を生成するプロセスを実行する装置（端末装置３）が、上記実施の形態に係る描画システム１で実行される装置（情報処理部７０）と異なっている。しかし、本実施の形態に係る描画システム２では、上記実施の形態と同様の描画プロセスや、特性関数４１，４２および変換テーブル５１の生成が実行される。従って、本実施の形態に係る描画システム２は、上記実施の形態と同様の効果を有している。
【０１１５】
以上、実施の形態およびその変形例を挙げて本開示を説明したが、本開示は上記実施の形態等に限定されるものではなく、種々変形が可能である。
【０１１６】
[変形例Ａ]
上記実施の形態等では、記録媒体１００が記録層１１３と断熱層１１４とが交互に積層されていたが、例えば、記録媒体１００がロイコ色素１００Ａと光熱変換剤１００Ｂとを含むマイクロカプセルを含んで構成されていてもよい。また、例えば、上記実施の形態等では、各記録層１１３（１１３ａ，１１３ｂ，１１３ｃ）は、可逆性感熱発色性組成物として、ロイコ色素１００Ａを含んでいたが、ロイコ色素１００Ａとは異なる材料を含んでいてもよい。また、例えば、上記実施の形態等において、描画システム１，２は、記録媒体１００に対して、情報の書き込みおよび消去を行うように構成されていてもよいし、記録媒体１００に対して、情報の書き込みおよび消去のうち少なくとも書き込みを行うように構成されていてもよい。
【０１１７】
[変形例Ｂ]
上記各実施の形態等では、中間画像データＩ2がＬ*，ａ*，ｂ*色空間で記述されていた。しかし、例えば、上記実施の形態等において、中間画像データＩ2がデバイス非依存色空間の１つであるＸＹＺ色空間で記述されていてもよい。この場合には、色空間変換部７１は、変換プロファイル４６に記述された、ＸＹＺ色空間からロイコ色空間への変換プロファイルを用いて、中間画像データＩ2を、ロイコ色空間で記述されたロイコ画像データＩ3に変換する。また、この場合には、上記各実施の形態等の記載において、Ｌ*，ａ*，
ｂ*色空間を、ＸＹＺ色空間に読み替えるものとする。
【０１１８】
[変形例Ｃ]
例えば、上記各実施の形態等では、ＩＣＣプロファイルの一種である変換プロファイル４５，４６が用いられていた。しかし、上記実施の形態等において、変換プロファイル４５，４６の代わりに、デバイスリンクプロファイルの一種である変換プロファイルが用いられていてもよい。デバイスリンクプロファイルの一種である変換プロファイルは、デバイス依存色空間と、ロイコ色空間との関係を記述（マッピング）したものである。デバイスリンクプロファイルの一種である変換プロファイルは、例えば、変換プロファイル４５と、変換プロファイル４６とに基づいて生成される。このようにした場合であっても、上記実施の形態等と同様の効果を奏する。
【０１１９】
[変形例Ｄ]
上記各実施の形態等において、スキャナ部５０およびスキャナ装置７の代わりに、正確な測色を行うことの可能な汎用の測色機（例えば、汎用のスポット測色機や面測色機）が用いられてもよい。そのようにした場合であっても、上記実施の形態等と同様の効果を奏する。
【０１２０】
なお、本明細書中に記載された効果は、あくまで例示である。本開示の効果は、本明細書中に記載された効果に限定されるものではない。本開示が、本明細書中に記載された効果以外の効果を持っていてもよい。
【０１２１】
また、例えば、本開示は以下のような構成を取ることができる。
（１）
各々が互いに異なるロイコ色素および互いに異なる光熱変換剤を含んで構成された複数の記録層を備えた記録媒体の描画座標と、前記記録媒体の吸光度と相関のある吸光度相関値と、ロイコ色空間における階調値とに基づいて、光源の出力設定値を導出する特性関数を記憶する記憶部と、
前記記録媒体の描画座標と、ロイコ色空間で記述されたロイコ画像データの階調値と、前記記録媒体を測定することにより得られる吸光度相関値とを、前記特性関数に入力することにより前記出力設定値を導出する演算部と、
前記光源を有し、前記演算部により導出される前記出力設定値に基づいて前記光源の出力を制御することにより、前記記録媒体への描画を実行する描画部と
を備えた
描画システム。
（２）
前記特定関数において、前記吸光度相関値、前記階調値および前記出力設定値は、描画座標ごとに規定されている
（１）に記載の描画システム。
（３）
前記吸光度相関値は、Ｌ*，ａ*，ｂ*色空間におけるＬ*値である
（１）または（２）に記載の描画システム。
（４）
前記光源は、前記演算部により導出される前記出力設定値に応じたパワーのレーザ光を前記記録媒体に出力することにより、前記記録媒体への描画を実行する
（１）ないし（３）のいずれか１つに記載の描画システム。
（５）
前記吸光度相関値は、未発色の前記記録媒体を測定することにより得られる
（１）ないし（４）のいずれか１つに記載の描画システム。
（６）
前記記憶部は、デバイス依存色空間とデバイス非依存色空間との関係を記述するとともに、前記デバイス非依存色空間と前記ロイコ色空間との関係を記述した変換プロファイルを更に記憶し、
前記演算部は、外部から入力された前記デバイス依存色空間の画像データを、前記変換プロファイルを用いて前記ロイコ色空間の画像データに変換し、
前記描画部は、前記変換プロファイルを用いて導出される前記ロイコ色空間の画像データに基づいて導出される前記出力設定値に基づいて前記光源の出力を制御することにより、前記記録媒体への描画を実行する
（１）ないし（５）のいずれか１つに記載の描画システム。
（７）
前記描画部は、外部ネットワークを介して入力された前記ロイコ色空間の画像データに基づいて導出される前記出力設定値に基づいて前記光源の出力を制御することにより、前記記録媒体への描画を実行する
（１）ないし（５）のいずれか１つに記載の描画システム。
（８）
各々が互いに異なるロイコ色素および互いに異なる光熱変換剤を含んで構成された３つの記録層を備えた複数の第１記録媒体、３つの前記記録層のうちの１つである第１記録層を備えた複数の第２記録媒体、３つの前記記録層のうち前記第１記録層とは異なる第２記録層を備えた複数の第３記録媒体、および３つの前記記録層のうち前記第１記録層および前記第２記録層とは異なる第３記録層を備えた複数の第４記録媒体のそれぞれの、未発色の表面を測定することにより得られる、吸光度と相関のある吸光度相関値を学習データとして機械学習をすることにより、前記第１記録媒体の、未発色の表面の吸光度相関値から、前記第１記録媒体に含まれる各前記記録層の吸光度相関値を導出する第１特性関数を生成する第１学習ステップと、
前記第１記録媒体と共通の層構成となっている複数の第５記録媒体の描画座標と、前記第５記録媒体の未発色の表面を測定することにより得られる吸光度相関値を前記第１特性関数に入力することにより得られる、各前記第５記録媒体に含まれる各前記記録層の吸光度相関値と、複数の前記第５記録媒体に含まれる前記３つの記録層を順次、様々な階調で発色させたときに各前記第５記録媒体の表面を測定することにより得られる、各前記第５記録媒体の３つの吸光度相関値に対応する、ロイコ色空間における階調値と、複数の前記第５記録媒体に含まれる前記３つの記録層を順次、様々な階調で発色させたときの、各前記記録層を発色させるための光源の出力設定値とを学習データとして機械学習をすることにより、前記第５記録媒体の描画座標と、前記第５記録媒体に含まれる各記録層の吸光度相関値と、ロイコ色空間における階調値とから、前記光源の出力設定値を導出する第２特性関数を生成する第２学習ステップと
を含む
特性関数の生成方法。
（９）
前記第１特定関数および前記第２特定関数において、前記吸光度相関値、前記階調値および前記出力設定値は、描画座標ごとに規定されている
（８）に記載の特性関数の生成方法。
（１０）
前記第２学習ステップにおいて、各前記第５記録媒体の３つの吸光度相関値の計測値と、ロイコ色空間おける階調値との対応関係を記述した変換テーブルを生成し、生成した前記変換テーブルを用いて、各前記第５記録媒体の３つの吸光度相関値の計測値から、ロイコ色空間における階調値を導出する
（８）または（９）に記載の特性関数の生成方法。
（１１）
前記吸光度相関値は、Ｌ*，ａ*，ｂ*色空間におけるＬ*値である
（８）ないし（１０）のいずれか１つに記載の特性関数の生成方法。
（１２）
前記第２学習ステップにおいて、前記光源から、前記出力設定値に応じたパワーのレーザ光を前記第５記録媒体に出力させることにより、各前記第５記録媒体を様々な階調で発色させる
（８）ないし（１１）のいずれか１つに記載の特性関数の生成方法。
【０１２２】
本開示の一実施形態に係る描画システムによれば、描画に用いる光源の出力設定値を導出する特性関数において、記録媒体の吸光度と相関のある吸光度相関値を変数としているので、描画対象である記録媒体の吸光度ムラを考慮することができる。さらに、特性関数において、吸光度相関値、ロイコ色空間における階調値および光源の出力設定値を描画座標ごとに規定された変数とすることにより、特性関数において、描画に用いる光源の走査速度ムラや光プロファイルの時間的な変動を考慮することができるようにしたので、狙いの色を忠実に発色させるための制御をすることが可能である。従って、ロイコ色素を用いた感熱方式の記録媒体で狙いの色を忠実に発色させることができる。
【０１２３】
本開示の一実施形態に係る特性関数の生成方法によれば、記録層のわずかな吸光度相関値の違いを利用した機械学習により第１特性関数および第２特性関数を生成するようにしたので、第１特性関数および第２特性関数を利用して光源の出力設定値を導出することにより、描画対象である記録媒体の吸光度ムラを考慮することができる。さらに、第１特性関数および第２特性関数において、吸光度相関値、ロイコ色空間における階調値および光源の出力設定値を描画座標ごとに規定された変数とすることにより、第１特性関数および第２特性関数において、描画に用いる光源の走査速度ムラや光プロファイルの時間的な変動を考慮することができるようにしたので、狙いの色を忠実に発色させるための制御をすることが可能である。従って、ロイコ色素を用いた感熱方式の記録媒体で狙いの色を忠実に発色させることができる。
【０１２４】
本出願は、日本国特許庁において２０１８年１０月９日に出願された日本特許出願番号第２０１８−１９０８１９号を基礎として優先権を主張するものであり、この出願のすべての内容を参照によって本出願に援用する。
【０１２５】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2020075451.tif 000003
【図２】
2020075451.tif 000004
【図３】
2020075451.tif 000005
【図４】
2020075451.tif 000006
【図５】
2020075451.tif 000007
【図６】
2020075451.tif 000008
【図７】
2020075451.tif 000009
【図８】
2020075451.tif 000010
【図９】
2020075451.tif 000011
【図１０】
2020075451.tif 000012
【図１１】
2020075451.tif 000013
【図１２】
2020075451.tif 000014
【図１３】
2020075451.tif 000015
【図１４】
2020075451.tif 000016
【図１５】
2020075451.tif 000017
【図１６】
2020075451.tif 000018
【図１７】
2020075451.tif 000019
【国際調査報告】
2020075451.tif 000020
2020075451.tif 000021
2020075451.tif 000022
2020075451.tif 000023